(57)【要約】  伝送線ＰＬを介して負荷に電源電圧を供給するスイッチング電源回路（１）であって、入力電圧ＶＩＮと制御信号Ｖｃとを入力し、入力電圧ＶＩＮを制御信号Ｖｃに応じた大きさの出力電圧Ｖｏに変換して伝送線ＰＬに出力する電圧変換部（１１）と、伝送線ＰＬに流れる負荷電流ＩＬＯＡＤを監視し、伝送線ＰＬで降下する電圧に応じた信号を生成する信号生成部（１２）と、信号生成部（１２）で生成した信号を制御信号Ｖｃとして電圧変換部（１１）に出力するローパスフィルタ（１３）と、を備える。
2014049945.tif 000002
【特許請求の範囲】
【請求項１】
伝送線を介して負荷に電源電圧を供給するスイッチング電源回路であって、
入力電圧を入力し、前記入力電圧を制御信号に応じた大きさの出力電圧に変換して前記伝送線に出力する電圧変換部と、
前記伝送線に流れる電流に基づき、前記伝送線で降下する電圧に応じた信号を生成する信号生成部と、
前記信号生成部で生成した信号を入力し、平滑化して前記制御信号を前記電圧変換部に出力するローパスフィルタと、
を備えたことを特徴とするスイッチング電源回路。
【請求項２】
前記信号生成部は、
前記伝送線に電気的に直列接続されたセンス抵抗と、
前記センス抵抗の両端電圧を、前記電源電圧相当の基準電圧を基準とする電圧にレベルシフトするレベルシフト回路と、
を備えることを特徴とする請求項１記載のスイッチング電源回路。
【請求項３】
前記ローパスフィルタは、
一端が前記レベルシフト回路の出力端に接続された抵抗素子と、
一端が前記抵抗素子の他端に接続され、他端が前記基準電圧を有する基準電圧端子に接続された容量素子と、
を含むことを特徴とする請求項２記載のスイッチング電源回路。
【請求項４】
前記信号生成部は、
前記伝送線に電気的に直列接続されたセンス抵抗と、
前記センス抵抗の両端電圧を増幅し、前記両端電圧に応じた電流を出力するトランスコンダクタンスアンプと、
を備えることを特徴とする請求項１記載のスイッチング電源回路。
【請求項５】
前記ローパスフィルタは、
前記トランスコンダクタンスアンプの出力端と前記電源電圧相当の基準電圧を有する基準電圧端子との間に、互いに並列に接続された抵抗素子および容量素子、を備えることを特徴とする請求項４記載のスイッチング電源回路。
【請求項６】
前記電圧変換部は、当該電圧変換部の出力端子とグラウンドとの間に接続された出力容量を有し、
前記ローパスフィルタの時定数は、前記出力容量の容量値と、前記センス抵抗の抵抗値と、前記レベルシフト回路の増幅率との積よりも大きいことを特徴とする請求項２または請求項３記載のスイッチング電源回路。
【請求項７】
前記電圧変換部は、当該電圧変換部の出力端子とグラウンドとの間に接続された出力容量を有し、
前記ローパスフィルタの時定数は、前記出力容量の容量値と、前記センス抵抗の抵抗値と、前記トランスコンダクタンスアンプの増幅率との積よりも大きいことを特徴とする請求項４または請求項５記載のスイッチング電源回路。
【請求項８】
前記電圧変換部は、
前記入力電圧が入力される入力端子と出力端子との間に接続されるインダクタと、
前記出力端子とグラウンドとの間に接続された出力容量と、
を有し、
前記センス抵抗は、前記インダクタと前記出力容量との間に接続され、前記インダクタに流れる電流を監視することを特徴とする請求項２から請求項５のいずれか１項に記載のスイッチング電源回路。
【請求項９】
前記電圧変換部は、
前記入力電圧が入力される入力端子と出力端子との間に接続されるインダクタと、
前記出力容量と、
を有し、
前記センス抵抗は、前記インダクタと前記出力容量との間に接続され、前記インダクタに流れる電流を監視することを特徴とする請求項６または請求項７に記載のスイッチング電源回路。
【発明の詳細な説明】
【技術分野】
【０００１】
本発明は、伝送線を介して負荷に電源電圧を供給するスイッチング電源回路に関し、特に、伝送線で降下する電圧を考慮して電源電圧を供給するようにしたスイッチング電源回路に関する。
【背景技術】
【０００２】
バッテリなどの電源は、その電圧がエネルギーの残量、周囲の温度、駆動する電子機器の負荷の重さに応じて変動するが、電子機器に対しては安定した電圧を供給することが望まれる。電圧が変動する電源から電子機器に安定した電圧を供給する回路として、ＤＣ−ＤＣコンバータなどのスイッチング電源回路が知られている。
スイッチング電源回路の例としてＡＣアダプタが知られている。ＡＣアダプタは、商用電源を入力とし、伝送線（伝送ケーブル）を介して電源電圧を負荷に供給する。【０００３】
また、パソコン等に内蔵され、ＵＳＢケーブル等の伝送線をパソコンとデジタルカメラに接続することで、この伝送線を介してデジタルカメラに内蔵された電池を充電するスイッチング電源回路も知られている。
また、車載用途として、カーナビやカーオーディオ等のカーアクセサリに内蔵され、数ｍのケーブル等の車内の伝送線をスマートフォン等の多機能携帯電話や情報端末に接続することで、この伝送線を介して多重機能携帯電話や情報端末に内蔵された電池を充電するスイッチング電源回路も知られている。【０００４】
このように伝送線を介して負荷に電源電圧を供給するスイッチング電源回路は、伝送線の抵抗により電圧降下が起こり、負荷に供給される電源電圧が本来供給されるべき電源電圧よりも低い電源電圧となる。そのため、負荷に供給されるべき電源電圧よりも伝送線で降下する電圧だけ高くした電圧を出力することが求められる。【０００５】
特に、伝送線を介して電池等の充電を行う充電システムにおいては、数アンペアオーダーの電流が伝送線に流れ、伝送線における電圧降下が数百ミリボルトオーダーとなるため、スイッチング電源回路が、負荷に供給されるべき電源電圧よりも伝送線で降下する電圧だけ高くした電圧を出力することは重要となる。
このように、伝送線で降下する電圧を生成し、この生成した電圧を負荷が所望とする電源電圧に加算し、この加算した電圧を伝送線に出力するようにしたスイッチング電源回路は、例えば、特許文献１に記載されている。
【先行技術文献】
【特許文献】
【０００６】
【特許文献１】特開平１−３１２４６８号公報
【発明の概要】
【発明が解決しようとする課題】
【０００７】
しかしながら、従来のスイッチング電源回路は、負荷変動が起こってから安定するまでの時間が長いという問題がある。そのため、応答速度が遅く、負荷変動に対する応答速度をより速くすることのできるスイッチング電源回路が望まれていた。
そこで、本発明は上記未解決の問題に着目してなされたものであり、負荷変動に対する応答速度をより向上させることの可能なスイッチング電源回路を提供することを目的としている。
【課題を解決するための手段】
【０００８】
本発明の一態様は、伝送線（例えば、図１の伝送線ＰＬ）を介して負荷（例えば、図１の負荷抵抗ＲＬ）に電源電圧を供給するスイッチング電源回路（例えば、図１のスイッチング電源回路１）であって、入力電圧を入力し、前記入力電圧を制御信号に応じた大きさの出力電圧に変換して前記伝送線に出力する電圧変換部（例えば、図１の電圧変換部１１）と、前記伝送線に流れる電流に基づき、前記伝送線で降下する電圧に応じた信号を生成する信号生成部（例えば、図１の信号生成部１２）と、前記信号生成部で生成した信号を入力し、平滑化して前記制御信号を前記電圧変換部に出力するローパスフィルタ（例えば、図１のローパスフィルタ１３）と、を備えたことを特徴とするスイッチング電源回路、である。【０００９】
前記信号生成部（例えば、図１の信号生成部１２）は、前記伝送線に電気的に直列接続されたセンス抵抗（例えば、図１のセンス抵抗ＲＬＤＳ）と、前記センス抵抗の両端電圧を、前記電源電圧相当の基準電圧を基準とする電圧にレベルシフトするレベルシフト回路（例えば、図１のレベルシフト回路ＬＳ２）と、を備えていてよい。
前記ローパスフィルタ（例えば、図１のローパスフィルタ１３）は、一端が前記レベルシフト回路の出力端に接続された抵抗素子（例えば、図１の抵抗ＲＬＰＦ）と、一端が前記抵抗素子の他端に接続され、他端が前記基準電圧を有する基準電圧端子（例えば、図１の基準電圧端子Ｔｒｅｆ２）に接続された容量素子（例えば、図１の容量ＣＬＰＦ）と、を含んでいてよい。【００１０】
前記信号生成部（例えば、図８の信号生成部１２ｂ）は、前記伝送線に電気的に直列接続されたセンス抵抗（例えば、図８のセンス抵抗Ｒｓ）と、前記センス抵抗の両端電圧を増幅し、前記両端電圧に応じた電流を出力するトランスコンダクタンスアンプ（例えば、図８のトランスコンダクタンスアンプｇｍＬＤ）と、を備えていてよい。
前記ローパスフィルタ（例えば、図８のローパスフィルタ１３ａ）は、前記トランスコンダクタンスアンプ（例えば、図８のトランスコンダクタンスアンプｇｍＬＤ）の出力端と前記電源電圧相当の基準電圧を有する基準電圧端子（例えば、図８の基準電圧端子Ｔｒｅｆ）との間に、互いに並列に接続された抵抗素子（例えば、図８の抵抗ＲＬＤ）および容量素子（例えば、図８の容量ＣＬＤ）、を備えていてよい。【００１１】
前記電圧変換部（例えば、図１の電圧変換部１１）は、当該電圧変換部の出力端子（例えば、図１の出力端子Ｔｏ）とグラウンドとの間に接続された出力容量（例えば、図１の出力容量Ｃｏ）を有し、前記ローパスフィルタ（例えば、図１のローパスフィルタ１３）の時定数は、前記出力容量の容量値と、前記センス抵抗（例えば、図１のセンス抵抗ＲＬＤＳ）の抵抗値と、前記レベルシフト回路（例えば、図１のレベルシフト回路ＬＳ２）の増幅率との積よりも大きくてもよい。【００１２】
前記電圧変換部（例えば、図８の電圧変換部１１）は、当該電圧変換部の出力端子（例えば、図８の出力端子Ｔｏ）とグラウンドとの間に接続された出力容量（例えば、図８の出力容量Ｃｏ）を有し、前記ローパスフィルタ（例えば、図８のローパスフィルタ１３ａ）の時定数は、前記出力容量の容量値と、前記センス抵抗（例えば、図８のセンス抵抗Ｒｓ）の抵抗値と、前記トランスコンダクタンスアンプ（例えば、図８のトランスコンダクタンスアンプｇｍＬＤ）の増幅率との積よりも大きくてよい。【００１３】
前記電圧変換部（例えば、図７の電圧変換部１１）は、前記入力電圧が入力される入力端子（例えば、図７の入力端子Ｔｉｎ）と出力端子（例えば、図７の出力端子Ｔｏ）との間に接続されるインダクタ（例えば、図７のインダクタＬｏ）と、前記出力端子とグラウンドとの間に接続された出力容量（例えば、図７の出力容量Ｃｏ）と、を有し、前記センス抵抗（例えば、図７のセンス抵抗Ｒｓ）は、前記インダクタと前記出力容量との間に接続され、前記インダクタに流れる電流を監視するものであってよい。【００１４】
前記電圧変換部（例えば、図７の電圧変換部１１）は、前記入力電圧が入力される入力端子（例えば、図７の入力端子Ｔｉｎ）と出力端子（例えば、図７の出力端子Ｔｏ）との間に接続されるインダクタ（例えば、図７のインダクタＬｏ）と、前記出力容量（例えば、図７の出力容量Ｃｏ）と、を有し、前記センス抵抗（例えば、図７のセンス抵抗Ｒｓ）は、前記インダクタと前記出力容量との間に接続され、前記インダクタに流れる電流を監視するものであってよい。
【発明の効果】
【００１５】
本発明の一態様によれば、信号生成部の出力側にローパスフィルタを設けることにより、フィードバックループの振幅特性の帯域を広げても位相余裕を確保し易くすることができる。そのため、負荷変動に対する応答速度の向上を図ることができる。
【図面の簡単な説明】
【００１６】
【図１】第１実施形態における本発明を適用したスイッチング電源回路の一例を示す概略構成図である。
【図２】本発明による効果を説明するためのスイッチング電源回路を示す概略構成図である。
【図３】図２に示すスイッチング電源回路の伝達関数を説明するための説明図である。
【図４】図２に示すスイッチング電源回路の特性を示すボード線図である。
【図５】図１に示すスイッチング電源回路の特性を説明するためのボード線図である。
【図６】図１に示すスイッチング電源回路の特性を説明するためのボード線図である。
【図７】第２実施形態における本発明を適用したスイッチング電源回路の一例を示す概略構成図である。
【図８】第３実施形態における本発明を適用したスイッチング電源回路の一例を示す概略構成図である。
【発明を実施するための形態】
【００１７】
以下、図面を参照して本発明の実施の形態を説明する。
（第１実施形態）
まず、第１実施形態を説明する。
図１は、第１実施形態における本発明を適用したスイッチング電源回路の一例を示す概略構成図である。
第１実施形態におけるスイッチング電源回路１は、電流モード型のＤＣ−ＤＣコンバータであって、スイッチング電源回路１の出力端子Ｔｏが伝送線ＰＬの一端に接続され、伝送線ＰＬの他端には負荷ＲＬの一端が接続される。負荷ＲＬの他端は伝送線ＰＬ内のグラウンド線に接続される。
【００１８】
スイッチング電源回路１は、入力電圧ＶＩＮに応じた出力電圧Ｖｏを伝送線ＰＬに出力する電圧変換部１１と、伝送線ＰＬで降下する電圧に応じた信号を生成する信号生成部１２と、信号生成部１２で生成した降下電圧に応じた制御信号Ｖｃを生成するローパスフィルタ１３と、を備える。
電圧変換部１１は、出力電圧Ｖｏを分圧してフィードバック電圧ＶＦＢを生成する抵抗分割回路２１と、エラーアンプ（ＥＡ）２２と、位相補償インピーダンス部２３と、出力電圧生成部２４と、を備える。
抵抗分割回路２１は、出力端子Ｔｏとグラウンドとの間に直列に接続された抵抗ＲＦＢ１およびＲＦＢ２を備え、出力端子Ｔｏの端子電圧である出力電圧Ｖｏを分圧してフィードバック電圧ＶＦＢを生成する。
【００１９】
エラーアンプ２２は、その反転端子には抵抗分割回路２１からのフィードバック電圧ＶＦＢが入力され、非反転入力端子には後述の制御信号Ｖｃが入力され、フィードバック電圧ＶＦＢと制御信号Ｖｃとの誤差に比例した誤差電流を出力する。
位相補償インピーダンス部２３は、直列に接続された抵抗Ｒ１およびＲ２と、抵抗Ｒ１に並列接続された容量Ｃ１とを備え、抵抗Ｒ２側の端部がエラーアンプ２２の出力端に接続され抵抗Ｒ１側の端部がグラウンドに接続されている。この位相補償インピーダンス部２３は、エラーアンプ２２が出力する誤差電流を積分してレベル誤差電圧ＶＥＡを生成するとともに位相補償を行う。
【００２０】
出力電圧生成部２４は、入力電圧ＶＩＮを変換してなる、三角波からなる出力電流Ｉｏｕｔを電圧変換して三角波電圧Ｖｓを生成するセンス抵抗Ｒｓと、増幅率ＡＳＷを有し、レベル誤差電圧ＶＥＡと比較できるように三角波電圧ＶｓをＡＳＷ倍に増幅してレベルシフトするレベルシフト回路ＬＳ１と、レベル誤差電圧ＶＥＡとレベルシフト回路ＬＳ１の出力電圧ＶＬＳ１とを比較してレベル誤差電圧ＶＥＡの大きさに比例したデューティのＰＷＭ信号を生成するコンパレータＣＭＰと、コンパレータＣＭＰから出力されるＰＷＭ信号をバッファリングする制御ドライバＣＴＲＬ＆ＤＲＶと、を備える。さらに、入力端子Ｔｉｎとグラウンドとの間に直列に接続されたＭＯＳトランジスタからなるスイッチＭ１およびＭ２と、スイッチＭ１およびＭ２の共通接続部とセンス抵抗Ｒｓとの間に接続されるインダクタＬｏと、出力端子Ｔｏとグラウンドとの間に接続されてインダクタＬｏとともにフィルタを形成する出力容量Ｃｏと、を備える。なお出力端子Ｔｏと出力容量Ｃｏとの間に接続される抵抗ＲＣＥＳＲは、出力容量Ｃｏの等価直列抵抗（内部抵抗）である。また、伝送線ＰＬは、内部抵抗ＲＬＩＮＥを有する。
【００２１】
入力端子Ｔｉｎに入力された入力電圧ＶＩＮは、スイッチＭ１およびＭ２の共通接続部から間欠的に出力され、インダクタＬｏと出力容量Ｃｏとで形成されるフィルタにより平滑化されて出力端子Ｔｏから出力電圧Ｖｏとして出力される。
信号生成部１２は、伝送線ＰＬとグラウンドとの間に接続され、伝送線ＰＬに接続された負荷ＲＬに流れる負荷電流ＩＬＯＡＤを監視して電流電圧変換をするセンス抵抗ＲＬＤＳと、センス抵抗ＲＬＤＳが電圧変換した負荷電流ＩＬＯＡＤに応じた電圧ＶＬＤＳを、増幅率Ａで増幅するとともに、基準電圧Ｖｒｅｆを基準とする電圧にレベルシフトした電圧ＶＬＳ２を出力するレベルシフト回路ＬＳ２と、を備える。
【００２２】
つまり、レベルシフト回路ＬＳ２は増幅率Ａを有し、差動入力信号である負荷電流ＩＬＯＡＤに応じた電圧ＶＬＤＳをＡ倍して基準電圧Ｖｒｅｆに加えて出力する。
ここで、レベルシフト回路ＬＳ２は、例えばドレイン接地増幅回路などの周知のレベルシフト回路で構成される。なお、レベルシフト回路ＬＳ１は、レベルシフト回路ＬＳ２と同一構成を有し、例えばドレイン接地増幅回路などの周知のレベルシフト回路で構成される。
レベルシフト回路ＬＳ２でレベルシフトを行う際の基準となる基準電圧端子Ｔｒｅｆ１の基準電圧Ｖｒｅｆは、負荷電流ＩＬＯＡＤが零であるときに、負荷ＲＬに供給されるべき所望の電圧相当の電圧である。つまり、基準電圧Ｖｒｅｆは、負荷ＲＬに供給されるべき電源電圧ＶＬＯＡＤ相当の電圧である。
【００２３】
ローパスフィルタ１３は、レベルシフト回路ＬＳ２の出力電圧ＶＬＳ２の出力端に一端が接続された抵抗ＲＬＰＦと、抵抗ＲＬＰＦの一端と基準電圧Ｖｒｅｆが入力される基準電圧端子Ｔｒｅｆ２との間に接続される容量ＣＬＰＦと、を備える。抵抗ＲＬＰＦと容量ＣＬＰＦとの共通接続部から、レベルシフト回路ＬＳ２の出力電圧ＶＬＳ２を平滑化した制御信号Ｖｃが出力される。すなわち、レベルシフト回路ＬＳ２の出力電圧ＶＬＳ２は、ローパスフィルタ１３を介して、エラーアンプ２２に出力される。
基準電圧端子Ｔｒｅｆ２は、基準電圧Ｖｒｅｆを供給する電源を介してグラウンドに接続される。
なお、基準電圧端子Ｔｒｅｆ１と基準電圧端子Ｔｒｅｆ２を共通化し、基準電圧Ｖｒｅｆを供給する電源を共通化してもよい。
【００２４】
エラーアンプ２２、位相補償インピーダンス部２３、コンパレータＣＭＰ、制御ドライバＣＴＲＬ＆ＤＲＶ、レベルシフト回路ＬＳ１およびＬＳ２、およびローパスフィルタ１３が、入力電圧ＶＩＮを出力電圧Ｖｏに変換するＤＣ−ＤＣコンバータ、すなわちスイッチング電源回路の制御回路ＣＴＲＬを構成している。そして、制御回路ＣＴＲＬによりスイッチＭ１およびＭ２を相補的にオンオフ制御することにより、出力電圧Ｖｏと負荷ＲＬに供給されるべき所望の電圧との差相当の電流が生成されるため、出力端子Ｔｏの端子電圧が上昇し、その結果、出力電圧Ｖｏを一定に維持するようになっている。
【００２５】
以上の構成とすることにより、エラーアンプ２２の非反転入力端子の電圧は、伝送線ＰＬの内部抵抗ＲＬＩＮＥの電圧降下相当だけ大きな電圧が出力電圧Ｖｏとして出力されるような電圧となる。つまり、エラーアンプ２２の非反転入力端子の電圧は、出力電圧Ｖｏが、負荷電流ＩＬＯＡＤが零であるときの所望の出力電圧に、「伝送線ＰＬで降下する電圧」（＝負荷電流ＩＬＯＡＤ×内部抵抗ＲＬＩＮＥ）を加算した値となる。
【００２６】
そして、負荷電流ＩＬＯＡＤがある電流値であるときに、負荷電流ＩＬＯＡＤに比例した電圧ＶＬＤＳをレベルシフト回路ＬＳ２で基準電圧Ｖｒｅｆを基準とするレベルに変換し、ローパスフィルタ１３（抵抗ＲＬＰＦおよび容量ＣＬＰＦ）でフィルタ処理した負荷電流ＩＬＯＡＤ相当の電圧からなる制御信号Ｖｃがエラーアンプ２２に入力され、エラーアンプ２２がフィードバック電圧ＶＦＢとその負荷電流ＩＬＯＡＤに対応した基準電圧Ｖｒｅｆを基準とする電圧との差に比例した誤差電流を出力する。
【００２７】
誤差電流は容量Ｃ１に蓄積されてレベル誤差電圧ＶＥＡが生成される。スイッチＭ１およびＭ２のスイッチング動作によりインダクタＬｏに流れる電流は三角波電流となるため、センス抵抗Ｒｓの両端電圧Ｖｓも三角波電圧となり、レベルシフト回路ＬＳ１の出力電圧ＶＬＳ１も三角波となる。コンパレータＣＭＰは、レベル誤差電圧ＶＥＡと出力電圧ＶＬＳ１とを比較するため、負荷電流ＩＬＯＡＤに応じた所望の出力電圧Ｖｏと実際の出力電圧Ｖｏとの差に比例したデューティのＰＷＭ信号が出力される。
【００２８】
これにより、負荷が所望とする一定の電源電圧ＶＬＯＡＤを供給することができる。つまり、エラーアンプ２２の非反転入力端子の電圧を負荷電流ＩＬＯＡＤに比例して大きくすることで負荷電流ＩＬＯＡＤが大きくなれば出力電圧Ｖｏを大きくすることができ、負荷電流ＩＬＯＡＤが小さくなれば出力電圧Ｖｏを小さくすることができる。そのため、負荷ＲＬに供給する電源電圧ＶＬＯＡＤを所定の電圧に保つことができる。
【００２９】
このように、負荷電流ＩＬＯＡＤに比例した電圧ＶＬＤＳを基準電圧Ｖｒｅｆに加えた電圧ＶＬＳ２をローパスフィルタ１３で平滑化して制御信号Ｖｃとし、電圧変換部１１が、制御信号Ｖｃに基づき負荷電流ＩＬＯＡＤに応じたレベル誤差電圧ＶＥＡを生成し、負荷電流ＩＬＯＡＤに応じたデューティのＰＷＭ信号を生成し、このＰＷＭ制御信号によりスイッチＭ１、Ｍ２をオンオフする。これにより、負荷ＲＬに、負荷ＲＬが所望とする一定の電源電圧ＶＬＯＡＤを供給することができる。
【００３０】
（伝達関数）
次に、図１に示す第１実施形態におけるスイッチング電源回路１について伝達関数を考える。
まず、比較例として、図２に示すスイッチング電源回路１′について伝達関数を考える。
図２は、本発明による効果を説明するためのスイッチング電源回路を示す概略構成図である。
図２に示すスイッチング電源回路１′は、制御回路ＣＴＲＬの構成が異なること以外は図１に示す第１実施形態におけるスイッチング電源回路１と同一の機能構成を有する。図２において、図１に示すスイッチング電源回路１と同一部には同一符号を付与している。
【００３１】
スイッチング電源回路１′の制御回路ＣＴＲＬにおいて、レベルシフト回路ＬＳ２は、センス抵抗ＲＬＤＳの両端電圧ＶＬＤＳを入力し、両端電圧ＶＬＤＳをＡ倍してレベルシフトし、基準電圧Ｖｒｅｆを加算した電圧を制御信号Ｖｃとする。そして、この制御信号Ｖｃをエラーアンプ２２の非反転端子に入力している。
スイッチング電源回路１′は帰還回路であり、エラーアンプ（ＥＡ）２２の入力端子から、位相補償インピーダンス部２３、コンパレータＣＭＰ、制御ドライバＣＴＲＬ＆ＤＲＶ、スイッチＭ１およびＭ２、インダクタＬｏ、センス抵抗Ｒｓ、出力容量Ｃｏを通じて、抵抗ＲＦＢ１およびＲＦＢ２との共通接続部までの一巡した伝達関数は、次式（１）で表すことができる。
【００３２】
ただし、コンパレータＣＭＰ、制御ドライバＣＴＲＬ＆ＤＲＶ、スイッチＭ１およびＭ２、インダクタＬｏ、センス抵抗Ｒｓ、レベルシフト回路ＬＳ１は、これら全体で、レベル誤差電圧ＶＥＡに応じた出力電流を出力する回路とみなすことができるため、電圧制御電流源ＳＷとする。その結果、スイッチング電源回路１′は図３に示すような構成として表すことができる。また、この電圧制御電流源ＳＷの電圧電流増幅率をｇｍＳＷ、伝送線ＰＬの内部抵抗ＲＬＩＮＥ、負荷抵抗ＲＬ、およびセンス抵抗ＲＬＤＳの合成抵抗を、Ｒ０＝ＲＬＩＮＥ＋ＲＬ＋ＲＬＤＳ、レベルシフト回路ＬＳ２の利得をＡ、エラーアンプ２２の電圧電流増幅率をｇｍＥＡ、基準電圧Ｖｒｅｆとフィードバック電圧（分圧電圧）ＶＦＢとの差をＶｉとする。
【００３３】
【数１】
2014049945.tif 000003
なお、式（１）中のＧ０は、ＤＣゲインであり次式（２）で表すことができる。
【００３４】
【数２】
2014049945.tif 000004
【００３５】
ここで、式（１）の分子における第１積項から、スイッチング電源回路１′の伝達関数には正の零点が存在することがわかる。すなわち、スイッチング電源回路１′の伝達関数は、ラプラス右半平面上に零点が存在する。
ラプラス右半平面上の零点は、周波数が増加すると利得が増加するが、位相は遅れるという性質がある。つまり、ラプラス右半平面上の零点の位相特性は、ラプラス左半平面上の極と同じ特性となる。伝達関数において、ラプラス右半平面上の零点が存在すると、利得が高いにも関わらず位相は遅れて回っていくため、位相余裕がなくなり不安定になりやすい。
【００３６】
図４および図５は、スイッチング電源回路１′の式（１）で表される伝達関数のボード線図である。図４および図５において、（ａ）は利得〔ｄＢ〕、（ｂ）は位相〔ｄｅｇ〕を表し、横軸は周波数、縦軸は利得または位相を表す。
図４に示すように、式（１）で表される伝達関数において、分母の第１積項がファーストポールｆｐ１に対応し、利得の変位量が元の変位量に対して−２０ｄＢ／ｄｅｃとなると共に位相が９０度遅れる。分母の第２積項がセカンドポールｆｐ２に対応し、分子の第２積項がファーストゼロｆｚ１に対応し、ラプラス平面上で略同一の位置に形成されているため、振幅特性および位相特性がほぼキャンセルされている。そして、分子の第１積項がセカンドゼロｆｚ２で、利得の変位量が元の変位量に対して＋２０ｄＢ／ｄｅｃとなる。これにより、利得の減衰量は少なくなる上、位相は戻るのではなく、さらに９０度遅れるようになるため、位相余裕が小さくなる。
【００３７】
そのため、スイッチング電源回路１′では、図５のように、ファーストポールｆｐ１をＤＣ付近（低周波側）に配置し、上記セカンドゼロｆｚ２、すなわちラプラス右半平面上の零点の周波数よりも低い周波数において、ループ利得を零未満にすることで、位相余裕を確保して安定化する必要がある。
このため、振幅特性の帯域が狭くなる。振幅特性の帯域が狭くなると、急激な負荷変動に対して直ちに応答することができなくなる。すなわち、負荷電流ＩＬＯＡＤが変動したときに、出力電圧Ｖｏがその負荷電流ＩＬＯＡＤに対応した所望の出力電圧となるまでに時間がかかることになる。
つまり、スイッチング電源回路１′は、安定性を確保するために帯域を狭くする必要があり、帯域を狭くすると、負荷変動に対する応答速度が遅くなってしまう。
【００３８】
次に、図１に示すスイッチング電源回路１の伝達関数を考える。
エラーアンプ２２の入力端子から、位相補償インピーダンス部２３、コンパレータＣＭＰ、制御ドライバＣＴＲＬ＆ＤＲＶ、スイッチＭ１およびＭ２、インダクタＬｏ、センス抵抗Ｒｓ、容量Ｃｏを通じて、抵抗ＲＦＢ１およびＲＦＢ２の共通制御部までの一巡した伝達関数を求める。このスイッチング電源回路１は、スイッチング電源回路１′においてさらに、伝送線ＰＬによる電圧降下を補正するための信号生成部１２の出力側にローパスフィルタ１３がカスケード接続されている。
したがって、スイッチング電源回路１の伝達関数は、式（１）の分子の第１積項内において、電圧降下補正量ＲＬＤＳＡに、ローパスフィルタ１３の伝達関数の積をとったものとなる。すなわち、次式（３）で表すことができる。
【００３９】
【数３】
2014049945.tif 000005
そして、式（３）を整理すると、次式（４）となる。
【００４０】
【数４】
2014049945.tif 000006
【００４１】
ここで、式（４）の第１積項から、ローパスフィルタ１３を加えることにより、ラプラス右半平面上の零点をラプラス左半平面に近づけることができることがわかる。
つまり、レベルシフト回路ＬＳ２の出力側にローパスフィルタ１３を設けたスイッチング電源回路１は、ラプラス右半平面上の零点をラプラス左半平面に近づけることができる。そのため、フィードバックループの伝達関数の利得が高い周波数において、位相が回ることを抑制することができる。そのため、図２に示すローパスフィルタ１３をもたないスイッチング電源回路１′に比較して、フィードバックループの位相補償を取りやすく、すなわち安定動作することができる。
その結果、周波数帯域を広くすることができるため、負荷変動に対する応答速度を速くすることができる。
【００４２】
また、図１に示すスイッチング電源回路１は、ローパスフィルタ１３の時定数ＲＬＰＦＣＬＰＦを出力容量Ｃｏの容量値Ｃｏとセンス抵抗ＲＬＤＳの抵抗値ＲＬＤＳと利得Ａとの積よりも十分大きくすることで、ラプラス右半平面上の零点を、ラプラス左半平面に移動させることができる。零点が左半平面にあれば位相は遅れる方向には回らず、進む方向に回るため、スイッチング電源回路１をより安定化することができる。
スイッチング電源回路１において、ＲＬＰＦＣＬＰＦ＞＞ＣｏＲＬＤＳＡであるときの伝達関数は、次式（５）で表される。なお、記号「＞＞」は左辺が右辺よりも十分大きいことを表す。
【００４３】
【数５】
2014049945.tif 000007
【００４４】
図６は、式（５）で表される伝達関数のボード線図を示した図である。
式（５）および図６から、位相遅れは最大で約９０度であることがわかる。その結果、ＲＬＰＦＣＬＰＦ＞＞ＣｏＲＬＤＳＡのときに、常に位相余裕を確保することができすなわち安定動作することができるため、周波数帯域をより広くすることができ、負荷変動に対する応答速度をより早めることができる。
特に、スマートフォン等の多機能携帯電話、ＵＳＢケーブルを介して電力伝送やデータ伝送を行うデジタルカメラに代表されるように、近年、電源にとって負荷となる電子機器の多機能化が進み、負荷変動の速度が早くなってきている。そのため、このように負荷変動に対して速やかに応答するスイッチング電源回路１は好適である。
【００４５】
（第２実施形態）
次に、本発明の第２実施形態を説明する。
図７は、第２実施形態における本発明を適用したスイッチング電源回路の一例を示す概略構成図である。
この第２実施形態は、上記第１実施形態におけるスイッチング電源回路１において、信号生成部１２の構成が異なること以外は同様であるので、同一部には同一符号を付与し、その詳細な説明は省略する。
図１のスイッチング電源回路１では、負荷ＲＬとグラウンドとの間に設けたセンス抵抗ＲＬＤＳと、レベルシフト回路ＬＳ２とで電圧降下分の信号の生成を行う構成であったのに対し、図７に示すように、第２実施形態におけるスイッチング電源回路２における信号生成部１２ａは、インダクタＬｏと出力端子Ｔｏとの間に設けたセンス抵抗Ｒｓとレベルシフト回路ＬＳ３とを備える。
【００４６】
すなわち、信号生成部１２ａは、センス抵抗Ｒｓの両端電圧Ｖｓをレベルシフト回路ＬＳ３に入力し、これを増幅率Ａで増幅して基準電圧Ｖｒｅｆに加算することで、出力電流Ｉｏｕｔに応じた電圧を生成する。
そして、レベルシフト回路ＬＳ３の出力側にローパスフィルタ１３が接続される。
ここで、出力電流ＩｏｕｔはＤＣ成分である負荷電流ＩＬＯＡＤを含むため、この構成により伝送線ＰＬに流れる負荷電流ＩＬＯＡＤを監視することができる。また、出力電流Ｉｏｕｔは三角波であるためセンス抵抗Ｒｓの両端電圧Ｖｓも三角波となるが、レベルシフト回路ＬＳ３にカスケード接続（縦列接続）されたローパスフィルタ１３により平滑化され、制御信号Ｖｃとして出力される。この平滑化された制御信号Ｖｃは出力電流ＩｏｕｔのＤＣ成分に対応しており、負荷電流ＩＬＯＡＤに比例した電圧となる。つまり、負荷ＲＬの電源電圧ＶＬＯＡＤに相当する基準電圧Ｖｒｅｆに、平滑化された電圧ＶＬＳ３を加えた電圧が、電圧変換部１１に制御信号Ｖｃとして入力される。
【００４７】
ここで、ローパスフィルタ１３は、フィードバックループの周波数帯域を広くする役割に加えて、三角波である出力電流Ｉｏｕｔから負荷電流ＩＬＯＡＤに対応した成分を抽出する役割を持つ。この構成により、電圧変換部１１と信号生成部１２ａとにおいて、センス抵抗Ｒｓを共有化することができる。
図７に示す、スイッチング電源回路２の伝達関数は、次式（６）で表される。すなわち、式（４）において、センス抵抗ＲＬＤＳがセンス抵抗Ｒｓに置き換わったものとなる。
【００４８】
【数６】
2014049945.tif 000008
【００４９】
そして、スイッチング電源回路２において、ＲＬＰＦＣＬＰＦ＞＞ＣｏＲｓＡとしたときの伝達関数およびボード線図は、センス抵抗ＲＬＤＳがセンス抵抗Ｒｓに置き換わったものであるため、スイッチング電源回路１において、ＲＬＰＦＣＬＰＦ＞＞ＣｏＲＬＤＳＡとした場合と同様である。
したがって、この第２実施形態においても、上記第１実施形態と同等の作用効果を得ることができるとともに、電圧変換部１１と信号生成部１２ａとで、センス抵抗Ｒｓを共有化することができるため、部品点数を削減することができ小規模化を図ることができる。
【００５０】
（第３実施形態）
次に、本発明の第３実施形態を説明する。
図８は、第３実施形態における本発明を適用したスイッチング電源回路の一例を示す概略構成図である。
この第３実施形態のスイッチング電源回路３は、上記第２実施形態におけるスイッチング電源回路２において、信号生成部１２ａおよびローパスフィルタ１３の構成が異なること以外は同様であるので、同一部には同一符号を付与し、その詳細な説明は省略する。
第３実施形態のスイッチング電源回路３の信号生成部１２ｂは、インダクタＬｏと出力端子Ｔｏとの間に設けたセンス抵抗Ｒｓと、トランスコンダクタンスアンプｇｍＬＤと、を備える。また、ローパスフィルタ１３ａは、エラーアンプ２２の非反転入力端子と基準電圧Ｖｒｅｆを有する基準電圧端子Ｔｒｅｆとの間に互いに並列接続された抵抗ＲＬＤおよび容量ＣＬＤを備える。
【００５１】
信号生成部１２ｂは、第２実施形態におけるスイッチング電源回路２の信号生成部１２ａと同様に、センス抵抗Ｒｓを電圧変換部１１と共有化している。センス抵抗Ｒｓの両端電圧Ｖｓは、トランスコンダクタンスアンプｇｍＬＤにより増幅率ｇｍＬＤで増幅されて電圧から電流に変換される。トランスコンダクタンスアンプｇｍＬＤは、出力電流Ｉｏｕｔに応じた三角波電流を出力する。出力電流Ｉｏｕｔは負荷電流ＩＬＯＡＤを含むため、この構成により負荷電流ＩＬＯＡＤを監視することができる。
【００５２】
そして、ローパスフィルタ１３ａは、トランスコンダクタンスアンプｇｍＬＤが出力する三角波電流を平滑化するとともに、電流電圧変換をして、電圧変換部１１への制御信号Ｖｃを生成する。第２実施形態におけるスイッチング電源回路２のローパスフィルタ１３と同様に、ローパスフィルタ１３ａは、フィードバックループの周波数帯域を広くする役割に加えて、三角波である出力電流Ｉｏｕｔから負荷電流ＩＬＯＡＤに対応した成分を抽出する役割を持つ。この構成により、電圧変換部１１と信号生成部１２ｂとにおいて、センス抵抗を共有化することができる。
この第３実施形態におけるスイッチング電源回路３の伝達関数は、式（６）において、ローパスフィルタの抵抗ＲＬＰＦがＲＬＤに、ローパスフィルタの容量ＣＬＰＦがＣＬＤに、レベルシフト回路ＬＳ３の増幅率Ａが電圧電流増幅率ｇｍＬＤに置き換わったものとなるため、次式（７）で表される。
【００５３】
【数７】
2014049945.tif 000009
【００５４】
そして、ＲＬＤＣＬＤ＞＞ＣｏＲｓｇｍＬＤであるときの伝達関数およびボード線図は、ローパスフィルタの抵抗ＲＬＰＦがＲＬＤに、ローパスフィルタの容量ＣＬＰＦがＣＬＤに、また、レベルシフト回路ＬＳ３の増幅率ＡがトランスコンダクタンスアンプｇｍＬＤの増幅率ｇｍＬＤに変わっただけであるため、第２実施形態におけるスイッチング電源回路２の伝達関数およびボード線図と同様となる。
【００５５】
以上から、第３実施形態におけるスイッチング電源回路３は、第２実施形態におけるスイッチング電源回路２と同様に、第１実施形態におけるスイッチング電源回路１と同様の作用効果を得ることができるとともに、電圧変換部１１および信号生成部１２ｂにおいて、センス抵抗Ｒｓを共有化することができるため、部品数を削減し、小規模化を図ることができる。また、この場合も、ローパスフィルタ１３ａの時定数を出力容量Ｃｏの容量値Ｃｏとセンス抵抗Ｒｓの抵抗値とトランスコンダクタンスアンプｇｍＬＤの電圧電流増幅率ｇｍＬＤとの積よりも十分大きくすることで、スイッチング電源回路３を、より安定化することができる。
【００５６】
なお、上記第３実施形態においては、第２実施形態におけるスイッチング電源回路２において、レベルシフト回路ＬＳ３に替えてトランスコンダクタンスアンプｇｍＬＤを用いた場合について説明したが、第１実施形態におけるスイッチング電源回路１において、レベルシフト回路ＬＳ２に替えてトランスコンダクタンスアンプｇｍＬＤを用いることも可能である。
【００５７】
また、上記各実施形態においては、図１に示す回路構成を有するスイッチング電源回路１を基本として、その一部を変形させた場合について説明したが、これに限るものではなく、他の構成要素をさらに備えたスイッチング電源回路や、構成要素が異なるスイッチング電源回路であっても適用することができる。
なお、本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【符号の説明】
【００５８】
１、２、３  スイッチング電源回路
１１  電圧変換部
１２、１２ａ、１２ｂ  信号生成部
１３、１３ａ  ローパスフィルタ
２１  抵抗分割回路
２２  エラーアンプ
２３  位相補償インピーダンス部
２４  出力電圧生成部
ｇｍＬＤ  トランスコンダクタンスアンプ
ＬＳ１、ＬＳ２、ＬＳ３  レベルシフト回路
Ｍ１、Ｍ２  スイッチ
ＰＬ  伝送線
ＲＬ  負荷抵抗
Ｒｓ  センス抵抗
ＲＬＤＳ  センス抵抗 
【図１】
2014049945.tif 000010
【図２】
2014049945.tif 000011
【図３】
2014049945.tif 000012
【図４】
2014049945.tif 000013
【図５】
2014049945.tif 000014
【図６】
2014049945.tif 000015
【図７】
2014049945.tif 000016
【図８】
2014049945.tif 000017
【手続補正書】
【提出日】平成26年10月20日(2014.10.20)
【手続補正１】
【補正対象書類名】特許請求の範囲
【補正対象項目名】全文
【補正方法】変更
【補正の内容】
【特許請求の範囲】
【請求項１】
伝送線を介して負荷に電源電圧を供給するスイッチング電源回路であって、
入力電圧が入力され、前記入力電圧を制御信号に応じた大きさの出力電圧に変換して前記伝送線に出力する電圧変換部と、
前記伝送線に流れる電流に基づき、前記伝送線で降下する電圧に応じた信号を生成する信号生成部と、
前記信号生成部で生成した信号が入力され、該信号生成部で生成した信号を平滑化するローパスフィルタと、を備え、
前記ローパスフィルタで平滑化した信号と前記電源電圧相当の基準電圧とを用いて、前記制御信号を生成することを特徴とするスイッチング電源回路。
【請求項２】
前記信号生成部は、
前記伝送線に電気的に直列接続されたセンス抵抗と、
前記センス抵抗の両端電圧を、前記電源電圧相当の基準電圧を基準とする電圧にレベルシフトするレベルシフト回路と、
を備えることを特徴とする請求項１記載のスイッチング電源回路。
【請求項３】
前記ローパスフィルタは、
一端が前記レベルシフト回路の出力端に接続された抵抗素子と、
一端が前記抵抗素子の他端に接続され、他端が前記電源電圧相当の基準電圧を有する基準電圧端子に接続された容量素子と、
を含むことを特徴とする請求項２記載のスイッチング電源回路。
【請求項４】
前記信号生成部は、
前記伝送線に電気的に直列接続されたセンス抵抗と、
前記センス抵抗の両端電圧を増幅し、前記両端電圧に応じた電流を出力するトランスコンダクタンスアンプと、
を備えることを特徴とする請求項１記載のスイッチング電源回路。
【請求項５】
前記ローパスフィルタは、
前記トランスコンダクタンスアンプの出力端と前記電源電圧相当の基準電圧を有する基準電圧端子との間に、互いに並列に接続された抵抗素子および容量素子、を備えることを特徴とする請求項４記載のスイッチング電源回路。
【請求項６】
前記電圧変換部は、当該電圧変換部の出力端子とグラウンドとの間に接続された出力容量を有し、
前記ローパスフィルタの時定数は、前記出力容量の容量値と、前記センス抵抗の抵抗値と、前記レベルシフト回路の増幅率との積よりも大きいことを特徴とする請求項２または請求項３記載のスイッチング電源回路。
【請求項７】
前記電圧変換部は、当該電圧変換部の出力端子とグラウンドとの間に接続された出力容量を有し、
前記ローパスフィルタの時定数は、前記出力容量の容量値と、前記センス抵抗の抵抗値と、前記トランスコンダクタンスアンプの増幅率との積よりも大きいことを特徴とする請求項４または請求項５記載のスイッチング電源回路。
【請求項８】
前記電圧変換部は、前記入力電圧が入力される入力端子と出力端子との間に接続されるインダクタと、
前記出力端子とグラウンドとの間に接続された出力容量と、を有し、
前記センス抵抗は、前記インダクタと前記出力容量との間に接続され、前記インダクタに流れる電流を監視することを特徴とする請求項２から請求項５のいずれか１項に記載のスイッチング電源回路。
【請求項９】
前記電圧変換部は、
前記入力電圧が入力される入力端子と出力端子との間に接続されるインダクタと、
前記出力容量と、
を有し、
前記センス抵抗は、前記インダクタと前記出力容量との間に接続され、前記インダクタに流れる電流を監視することを特徴とする請求項６または請求項７に記載のスイッチング電源回路。
【手続補正２】
【補正対象書類名】明細書
【補正対象項目名】０００８
【補正方法】変更
【補正の内容】
【０００８】
本発明の一態様は、伝送線（例えば、図１の伝送線ＰＬ）を介して負荷（例えば、図１の負荷抵抗ＲＬ）に電源電圧を供給するスイッチング電源回路（例えば、図１のスイッチング電源回路１）であって、入力電圧が入力され、前記入力電圧を制御信号に応じた大きさの出力電圧に変換して前記伝送線に出力する電圧変換部（例えば、図１の電圧変換部１１）と、前記伝送線に流れる電流に基づき、前記伝送線で降下する電圧に応じた信号を生成する信号生成部（例えば、図１の信号生成部１２）と、前記信号生成部で生成した信号が入力され、該信号生成部で生成した信号を平滑化するローパスフィルタ（例えば、図１のローパスフィルタ１３）と、を備え、前記ローパスフィルタで平滑化した信号と前記電源電圧相当の基準電圧とを用いて、前記制御信号を生成することを特徴とするスイッチング電源回路、である。
【手続補正３】
【補正対象書類名】明細書
【補正対象項目名】０００９
【補正方法】変更
【補正の内容】
【０００９】
前記信号生成部（例えば、図１の信号生成部１２）は、前記伝送線に電気的に直列接続されたセンス抵抗（例えば、図１のセンス抵抗ＲＬＤＳ）と、前記センス抵抗の両端電圧を、前記電源電圧相当の基準電圧を基準とする電圧にレベルシフトするレベルシフト回路（例えば、図１のレベルシフト回路ＬＳ２）と、を備えていてよい。
前記ローパスフィルタ（例えば、図１のローパスフィルタ１３）は、一端が前記レベルシフト回路の出力端に接続された抵抗素子（例えば、図１の抵抗ＲＬＰＦ）と、一端が前記抵抗素子の他端に接続され、他端が前記電源電圧相当の基準電圧を有する基準電圧端子（例えば、図１の基準電圧端子Ｔｒｅｆ２）に接続された容量素子（例えば、図１の容量ＣＬＰＦ）と、を含んでいてよい。
【国際調査報告】
2014049945.tif 000018
2014049945.tif 000019